(57)【要約】      （修正有）【課題】梱包が小サイズで運搬容易で、組み立ても簡略容易であり、棚板の組み立て精度が良好で強固な物品支持構造を有する組み立て式のラックを提供する。【解決手段】組み立て式のラック１は、一対の長尺片をＬ型状に一体形成し、各々に設けた多数の段付き受穴を対応配置に、かつ、長さ方向に等間隔に設けた所要数の支柱１１と、各支柱の端部が両側から嵌着され近接連結状態で支持可能とする一対の折り返し挟み込み片をＬ型状に一体形成するとともに、一対の折り返し挟み込み片の長さ方向中央部内にストッパー突部を備える所要数の連結具２１と、連結具により連結された複数の連結支柱１１Ａの各段付き受穴と係合して連結する係合端部を両端に有し、両係合端部の間を連結し、かつ、棚板受片３４をＬ型配置に設けた連結材３３を備える所要数のブラケット３１と、連結支柱に取り付けたブラケットにおける各棚板受片上で支持される所要数の棚板５１と、を有する。【選択図】図１
2018183540.tif 000002
【特許請求の範囲】
【請求項１】
所要数の棚板を、連結具によりＬ型状の支柱を連結しＬ型状とした連結支柱を用いて組み立て棚板を配置した構造により支持する組立式ラックであって、
前記連結具は、連結される各支柱の端部が両側から嵌着され近接連結状態で支持可能とするための折り返し挟み込み片を前記支柱に外側から当接可能な形状であるＬ型状に一体形成するとともに、前記折り返し挟み込み片の長さ方向中央部内にストッパー突部を備えることを特徴とする組み立て式のラック。
【請求項２】
一対の長尺片をＬ型状に一体形成して、各長尺片に各々多数の段付き受穴を対応配置に、かつ、長さ方向に等間隔に設けた所要数の支柱と、
連結される各支柱の端部が両側から嵌着され近接連結状態で支持可能とするための折り返し挟み込み片を前記支柱に外側から当接可能な形状であるＬ型状に一体形成するとともに、前記一対構造の折り返し挟み込み片の長さ方向中央部内にストッパー突部を備える所要数の連結具と、
前記連結具により連結された複数の連結支柱を、前記複数の連結支柱の各段付き受穴と係合して所定間隔隔てた状態に連結する係合端部を両端に有し、両係合端部の間を連結するとともに、棚板受片をＬ型配置に設けた所要数の連結材を備え、前記各連結材の各係合端部を所定の間隔をもって配置した隣り合う各連結支柱の対応する各段付き受穴に係合させることで前記各連結支柱を連結し、前記各連結材の各棚板受片により棚板を支持可能とする所要数のブラケットと、
前記連結支柱に取り付けたブラケットにおける各棚板受片上で支持される任意数の棚板と、
を有することを特徴とする組み立て式のラック。
【請求項３】
前記Ｌ型状の支柱の各長尺片に設けた段付き受穴は、中央部に前記ブラケットの係合端部が挿入可能な広幅穴部を具備し、この広幅穴部の前記長尺片の長さ方向両側に前記広幅穴部より狭幅の狭幅部分を形成する段付き穴部を対称配置に備え、前記Ｌ型状の支柱の長さ方向反転使用を可能としたことを特徴とする請求項２記載の組み立て式のラック。
【請求項４】
前記ブラケットの係合端部は、前記連結支柱の段付き受穴に嵌め込まれ、殴打力の作用により段付き受穴の狭幅部分に圧接するハの字状の突起部を具備することを特徴とする請求項２又は３に記載の組み立て式のラック。
【請求項５】
前記ブラケットの連結材は、Ｌ型配置に設けた棚板受片を上側に向ける配置と、前記棚板受片を下側に向ける配置との上下反転設置可能であることを特徴とする請求項２乃至４のいずれか１項に記載の組み立て式のラック。
【請求項６】
前記棚板は、上面、下面の色を異ならせた仕様でリバーシブル使用可能であることを特徴とする請求項１乃至５のいずれか１項に記載の組み立て式のラック。
【請求項７】
前記支柱には壁への固定用のネジ挿通孔が設けられ、前記ブラケットの棚板受片には棚板固定用のネジ挿通孔が各々設けられていることを特徴とする請求項１乃至６のいずれか１項に記載の組み立て式のラック。
【発明の詳細な説明】
【技術分野】
【０００１】
本発明は、組み立て式のラックに関し、詳しくは、構成要素の梱包が小サイズで運搬容易で、組み立ても簡略容易であり、組み立て終了後には棚板の組み立て精度が良好で強固な物品支持構造とすることができる組み立て式のラックに関するものである。
【背景技術】
【０００２】
従来、各種工場内やオフィスの作業室等においては、様々な物品の収納、保管の目的で例えばスチール製のラックが多用されている。
【０００３】
このような従来のラックにおいては、このラックを構成する支柱が、例えば、１．８ｍ、２．０ｍ、２．７ｍ等と長尺であり、支柱のみで1梱包、支柱以外の棚板とブラケットで1梱包と合計２梱包になるものが多く、また、このラックの組み立て時にはネジ、ボルト、ナット等の締結具が不可欠で、組み立て前の運搬作業性、組み立て作業性が良好でないという問題を包含している。
【０００４】
特許文献１には、複数の棚板を、支柱ジョイントで結合した支柱フレームで多段支持した構造の組立式ラックにおいて、上記支柱ジョイントは、２本の支柱フレームの端部を対向あるいは重合させた状態に挿入して上、下に連結する一対の鞘部と、棚板を固定する取付部と、連結すべき他の支柱ジョイントに形成された雌、雄係止部を係止連結するための一対の雄、雌係止部とを設けた構造とした組立式ラックが開示されている。
【０００５】
しかし、特許文献１の組立式ラックの場合、２本の支柱の端部を連結するための支柱ジョイントが鞘構造であり、この支柱ジョイント内に両方から挿入される２本の支柱の端部を皿ネジを用いて前記支柱ジョイント内で固定する構成を採用している。
【０００６】
従って、前記支柱フレームにおいて支柱ジョイント内で皿ネジによる固定される２本の支柱の端部の位置を各支柱フレーム毎に均等にすることが難しく、この結果、棚板を固定する取付部の位置も各支柱フレーム毎にバラつきが生じ易く、複数の棚板を精度よく水平配置に組み立てることは難しいという問題を包含するものと推定される。
【先行技術文献】
【特許文献】
【０００７】
【特許文献１】特開２００６−２０７４２号公報
【発明の概要】
【発明が解決しようとする課題】
【０００８】
本発明は、上記従来の実情に鑑み創作されたものであり、構成要素の梱包が小サイズで運搬容易であり、組み立ても簡略容易であり、組み立て終了後には棚板の組み立て精度が良好で強固な物品支持構造とすることができる斬新な組み立て式のラックを提供するものである。
【課題を解決するための手段】
【０００９】
本発明に係る組み立て式のラックは、所要数の棚板を、連結具によりＬ型状の支柱を連結しＬ型状とした連結支柱を用いて組み立て棚板を配置した構造により支持する組立式ラックであって、前記連結具は、連結される各支柱の端部が両側から嵌着され近接連結状態で支持可能とするための折り返し挟み込み片を前記支柱に外側から当接可能な形状であるＬ型状に一体形成するとともに、前記折り返し挟み込み片の長さ方向中央部内にストッパー突部を備えることを最も主要な特徴とする。
【発明の効果】
【００１０】
請求項１記載の発明によれば、連結される各支柱の端部が両側から嵌着され近接連結状態で支持可能とするための折り返し挟み込み片を前記支柱に外側から当接可能な形状であるＬ型状に一体形成するとともに、前記折り返し挟み込み片の長さ方向中央部内にストッパー突部を備える連結具によりＬ型状の支柱を高精度に連結しＬ型状とした連結支柱を用いて組み立てる構成を採用し、更に棚板を設置した構造としているので、組み立てが簡略容易であり、組み立て終了後には棚板の組み立て精度も良好で強固な物品支持構造とすることができる組み立て式のラックを実現し提供することができる。
【００１１】
請求項２記載の発明によれば、各構成要素の梱包が小サイズですみ運搬容易であり、組み立ても簡略容易、かつ、高精度であり、組み立て終了後には棚板の組み立て精度が良好で強固な物品支持構造とすることができる組み立て式のラックを実現し提供することができる。
【００１２】
請求項３記載の発明によれば、請求項２記載の効果に加えて、支柱の長さ方向反転使用も可能となり、連結支柱組み立て時の利便性の向上を図ることができる組み立て式のラックを実現し提供することができる。
【００１３】
請求項４記載の発明によれば、請求項２又は３に記載の効果に加えて、ネジ等を使用することなくブラケットの係合端部を連結支柱（又は支柱）に強固に取り付けることができる組み立て式のラックを実現し提供することができる。
【００１４】
請求項５記載の発明によれば、請求項２乃４のいずれか１項に記載の効果に加えて、ブラケット、前記棚板の前記連結支柱（又は支柱）に対する取り付け態様を２態様とした多様化が可能な組み立て式のラックを実現し提供することができる。
【００１５】
請求項６記載の発明によれば、請求項１乃５のいずれか１項に記載の効果に加えて、棚板の外観態様を周囲環境に応じて２種類に異ならせた組み立て式のラックを実現し提供することができる。
【００１６】
請求項７記載の発明によれば、請求項１乃６のいずれか１項に記載の効果に加えて、組み立て式のラック自体を壁へ固定したり、ブラケットと棚板とを固定したりすることができ、一層強固な物品支持機能を発揮する組み立て式のラックを実現し提供することができる。
【図面の簡単な説明】
【００１７】
【図１】図１は本発明の実施例に係る組み立て式のラックの組み立て終了直前の状態を示す概略斜視図である。
【図２】図２は本実施例に係る組み立て式のラックの構成部品及びハンマーを個別に示す概略斜視図である。
【図３】図３は本実施例に係る組み立て式のラックおける連結具による２個の支柱の連結態様を示す説明図である。
【図４】図４は本実施例に係る組み立て式のラックにおける支柱の端部に対する支柱脚カバーの嵌め込み状態を示す概略斜視図である。
【図５】図５は本実施例に係る組み立て式のラックにおける２本の支柱に対する短サイズのブラケットの取り付け状態を示す概略斜視図である。
【図６】図６は本実施例に係る組み立て式のラックにおける４本の支柱に対する長サイズのブラケットの取り付け工程を示す概略斜視図である。
【図７】図７は本実施例に係る組み立て式のラックにおける底部にブラケット４個を取り付けた４本の支柱に対する連結具の取り付け状態を示す概略斜視図である。
【図８】図８は本実施例に係る組み立て式のラックにおける４本の支柱に取り付けた４個の連結具に対して他の４本の支柱を各々連結し４本の連結支柱とする状態の概略斜視図である。
【図９】図９は本実施例に係る組み立て式のラックにおける４本の連結支柱に順に所要数のブラケットを取り付け５段構成の棚板設置前のラックの組み立て工程を示す概略説明図である。
【図１０】図１０は本実施例に係る組み立て式のラックにおけるブラケットの上下反転態様を示す説明図である。
【図１１】図１１は本実施例に係る組み立て式のラックにおける４本の支柱に対する４個のブラケット（１個のブラケットのみ棚板受片上向き）の取り付け態様と棚板設置状態を示す部分説明図である。
【図１２】図１２は本実施例に係る組み立て式のラックにおける４本の支柱に対する４個のブラケット（４個のブラケット全てを棚板受片上向き）の取り付け態様と棚板設置状態を示す部分説明図である。
【図１３】図１３は本実施例に係る組み立て式のラックにおける支柱に嵌め着けた連結具の取り外し態様を示す説明図である。
【図１４】図１４は本実施例に係る組み立て式のラックにおいて連結具を使用しないで支柱４本棚板３段構成のラック、及び、支柱４本棚板２段構成のラックを組み立てた応用例を示す説明図である。
【図１５】図１５は本実施例に係る組み立て式のラックにおいて、２台の組み立て式のラックを分離配置しその間に棚板をブラケットにより水平配置に支持した別の応用例を示す説明図である。
【図１６】図１６は本発明の別の実施例に係る組み立て式のラックを構成する連結具の概略斜視図である。
【図１７】図１７は別の実施例に係る組み立て式のラックにおける連結具による２個の支柱の連結態様を示す説明図である。
【図１８】図１８は別の実施例に係る組み立て式のラックにおける支柱の端部に対する支柱脚カバーの嵌め込み状態を示す概略斜視図である。
【発明を実施するための形態】
【００１８】
本発明は、構成要素の梱包が小サイズで運搬容易で、組み立ても簡略容易であり、組み立て終了後には棚板の組み立て精度が良好で強固な物品支持構造とすることができる組み立て式のラックを実現し提供するという目的を、一対の長尺片をＬ型状に一体形成し、各長尺片に各々多数の段付き受穴を対応配置に、かつ、長さ方向に等間隔に設けた所要数の支柱と、連結される各支柱の端部が両側から嵌着され近接連結状態で支持可能とするための折り返し挟み込み片を前記支柱に外側から当接可能な形状であるＬ型状に一体形成するとともに、前記一対構造の折り返し挟み込み片の長さ方向中央部内にストッパー突部を備える所要数の連結具と、前記連結具により連結された複数の連結支柱を、前記複数の連結支柱の各段付き受穴と係合して所定間隔隔てた状態に連結する係合端部を両端に有し、両係合端部の間を連結するとともに、棚板受片をＬ型配置に設けた所要数の連結材を備え、前記各連結材の各係合端部を所定の間隔をもって配置した隣り合う各連結支柱の対応する各段付き受穴に係合させることで前記各連結支柱を連結し、前記各連結材の各棚板受片により棚板を支持可能とする所要数のブラケットと、前記連結支柱に取り付けたブラケットにおける各棚板受片上で支持される任意数の棚板と、を有する構成により実現した。
【実施例】
【００１９】
以下、図面を参照して、本発明の実施例に係る組み立て式のラックについて詳細に説明する。
【００２０】
本実施例に係る組み立て式のラック１は、図１、図２に示すように、所要本数の支柱１１と、２本の支柱１１を連結して長尺の連結支柱１１Ａを構成するための所要数の連結具２１と、短サイズ、長サイズ２種類構成からなる所要数のブラケット３１と、所要数の例えばゴム製の支柱脚カバー４１と、所要数の棚板５１と、を構成部品とし、更に付属品として組み立て時に使用する殴打部６２ａ、６２ｂにゴム材を用いたハンマー６１を具備する構成としている。前記ハンマー６１は、例えば、一方の殴打部６２ａに黄色の着色を施し（ホワイト製品用）、他方の殴打部６２ｂに黒色の着色を施している（ブラック製品用）。
【００２１】
図１は、８本の支柱１１を用いて４個の連結具２１を使用して４本の連結支柱１１Ａを構成し、下段に位置する４本の支柱の最下部に４個の支柱脚カバー４１を各々嵌め込んでこれらを起立配置とし、また、４本の連結支柱１１Ａに対して、一段当たり短サイズのブラケット３１を２個、長サイズのブラケット３１を２個、合計で一段当たり４個ずつ用いて全体として５段にわたってこれらを水平配置に取り付け、各段の４個ずつのブラケット３１上に各々一枚ずつ合計５枚の棚板５１を設置して、５段の組み立て式のラック１を組み立てた例を示すものである。
【００２２】
次に、図３を参照して前記支柱１１、前記連結具２１の詳細、及び前記連結支柱１１Ａの構成例について説明する。
【００２３】
前記支柱１１は、一対の長尺片１２、１２をＬ型状に一体形成し、各長尺片１２、１２に各々図３に示すような形状でブラケット３１を強固に連結するための多数の段付き受穴１３を対応配置に、かつ、長さ方向に等間隔に設け、更に、前記長尺片１２の一部に壁への固定用のネジ挿通孔１４を設けることにより構成している。
【００２４】
前記連結具２１は、図３に示すように、連結される各支柱１１、１１の端部が両側から嵌着され近接連結状態で支持可能とするために、前記各長尺片１２、１２の嵌着用の受領域を内部に形成する一対構造の折り返し挟み込み片２２、２２を前記支柱１１、１１の各端部に外側から当接可能な形状であるＬ型状に一体形成している。
【００２５】
また、前記一対構造の折り返し挟み込み片２２、２２の長さ方向中央部にその内部の受領域側に突出するストッパー突部２３を設け、前記各長尺片１２、１２の各端部の位置規制を行いつつ一対の支柱１１、１１を連結具２１を使用して連結し図３下欄に示す連結支柱１１Ａを構成するようにしている。
【００２６】
更に、前記一対構造の折り返し挟み込み片２２、２２における各ストッパー突部２３の両側には各々受領域側にわずかに突出し、前記各長尺片１２、１２の一面に当接して連結支持力を高める小突部２４、２４を設けている。そして、前記ストッパー突部２３とその両側の小突部２４、２４との間における折り返し挟み込み片２２と長尺片１２には、連結される支柱１１の側辺部外部から視認可能とする略Ｕ状を呈する凹陥部２５、２５を設けている。
【００２７】
なお、図３においては、前記ストッパー突部２３、小突部２４各々をこれらの背面側から見た凹陥状態で示している。
【００２８】
前記ブラケット３１は、前記連結具２１により連結された複数の連結支柱１１Ａを、前記複数の連結支柱１１Ａの各段付き受穴１３と係合して所定間隔隔てた状態に連結する係合端部３２、３２を両端に有し、両係合端部３２、３２の間を棚板受片３４をＬ型配置に一体的に備える連結材３３により連結する構成としている。
【００２９】
また、前記係合端部３２、３２には、各々前記連結支柱１１Ａの段付き受穴１３に嵌め込まれ、ハンマー６１による殴打力の作用により前記段付き受穴１３の狭幅部分に圧接するハの字状を呈する突起部３５を設けている。
【００３０】
そして、前記各係合端部３２、３２の各突起部３５を、所定の間隔をもって配置した隣り合う各連結支柱１１Ａの対応する各段付き受穴１３に係合させ圧接状態とすることで前記各連結支柱１１Ａ相互を連結し、前記各連結材３３の各棚板受片３４によりその上部に設置される棚板５１を支持するように構成している。
【００３１】
前記棚板受片３４には、棚板固定用のネジ挿通孔３６が設けられている。
【００３２】
次に、本実施例に係る組み立て式のラック１の組み立て工程について図４乃至図１２を参照して説明する。
【００３３】
まず、図４に示すように、前記支柱１１の端部に支柱脚カバー４１を嵌め込む。この工程は、一台の組み立て式のラック１を組み立てる際には４本の支柱１１に対して実行する。
【００３４】
次に、図５に示すように、各々支柱脚カバー４１を嵌め込んだ４本の支柱１１と、短サイズのブラケット３１を２個、長サイズのブラケット３１を２個用意する。
【００３５】
そして、前記２本の支柱１１の支柱脚カバー４１側近くの同一高さの各段付き受穴１３に短サイズのブラケット３１の各係合端部３２に設けた各突起部３５を嵌め込み、前記ハンマー６１により前記ブラケット３１の両隅部を殴打し、前記各突起部３５を各段付き受穴１３の狭幅部に圧接させこれらを連結状態とする。
【００３６】
この工程を２回行い、短サイズのブラケット３１を取り付けた２本の支柱１１を２セット作成する。
【００３７】
次に、図６に示すように、短サイズのブラケット３１を取り付けた２本の支柱１１の２セットを長サイズのブラケット３１に対応する間隔で平行配置し、２個の長サイズのブラケット３１を上述した場合と同様にして対応する各支柱１１に取り付け連結状態とし、合計４個のブラケット３１を四角形配置に取り付け、前記４本の支柱１１を起立状態とする。
【００３８】
次に、図７に示すように、前記４本の支柱１１を起立状態とした状態で、各支柱１１の端部（上端部）に各々４個の連結具２１の片側を嵌め付け、前記ハンマー６１により各連結具２１の他側を殴打して各支柱１１の端部を前記ストッパー突部２３に突き当てる。
【００３９】
次に、図８に示すように、４個の連結具２１に対してその他側に各々別の４本の支柱１１の端部（下端部）を各々嵌め付け、これら各支柱１１の上端部を各々前記ハンマー６１により殴打して、前記各支柱の下端部を前記４個の連結具２１の各ストッパー突部２３に突き当てる。
【００４０】
これにより、連結具２１により連結状態とした四角形配置の４本の連結支柱１１Ａが作成される。
【００４１】
次に、図９に示すように、上述した４本の連結支柱１１Ａに順に所要数のブラケット３１を取り付け、５段構成で棚板５１の設置前のラック１を組み立てる。
【００４２】
すなわち、まず４本の連結支柱１１Ａにおける最上段の各段付き受穴１３に対して、短サイズのブラケット３１を２個、長サイズのブラケット３１を２個を各々既述した場合と同様にして取り付け、次に最下段の４個のブラケット３１と最上段の４個のブラケット３１との間に所定の感覚で３段にわたって４個ずつのブラケット３１を取り付けて、合計５段構成からなる棚板５１の設置前のラック１を組み立てる。
【００４３】
図１０は本実施例に係る前記ブラケット３１の上下反転態様を示すものであり、このブラケット３１は、上下反転仕様で、前記棚板受片３４を上側（図１０上欄）として隣り合う前記連結支柱１１Ａ間に取り付けたり、また、前記棚板受片３４を下側（図１０下欄）として隣り合う前記連結支柱１１Ａ間に取り付けたりすることが可能に構成している。
【００４４】
図１１は、四角形配置とした４本の連結支柱１１Ａに対して、このうち間隔の小さい２セットの連結支柱１１Ａ、１１Ａ間に各々前記棚板受片３４を下側とした短サイズの２個のブラケット３１を取り付けるとともに、前記棚板受片３４を下側とした長サイズの１個のブラケット３１と、前記棚板受片３４を上側とした長サイズの１個のブラケット３１との合計２個の長サイズのブラケット３１を大きな間隔で隣り合う２本ずつの連結支柱１１Ａ、１１Ａ間に取り付け、合計４個の四角形配置の棚板受片３４上に一枚の棚板５１を設置した態様を示すものである。
【００４５】
すなわち、図１１に示す場合には、一枚の棚板５１における２箇所の短辺と、１箇所の長辺との三方を各ブラケット３１の連結材３３で囲み、前記棚板５１における残る１箇所の長辺の側方を開放状態とした体裁の良好な態様とているものである。
【００４６】
また、図１２は、前記四角形配置とした４本の連結支柱１１Ａに対して、短サイズの２個のブラケット３１と、長サイズの２個のブラケット３１との合計４個のブラケット３１を、いずれも前記棚板受片３４を上側とした状態で上述した場合と同様にして取り付けて、合計４個の四角形配置の棚板受片３４上に一枚の棚板５１を設置した態様を示すものである。
【００４７】
これにより、前記棚板５１をフラットな状態（棚板５１を棚板受片３４上でフラットな状態）で設置できる。
【００４８】
図１３は、本実施例に係る組み立て式のラック１の分解を行う場合に生じる前記支柱１１を嵌め付けた連結具２１をこの支柱１１から取り外す態様を示すものであり、前記連結具２１が端部に嵌め付けられている前記支柱１１に対して、別の支柱１１を重ねてこの別の支柱１１の一方の端縁を前記連結具２１の折り返し挟み込み片２２の端縁に当接させて、この状態で、前記別の支柱１１の他方の端縁を前記ハンマー６１により前記別の支柱１１の長さ方向に叩き殴打力を付与することで、前記支柱１１から前記連結具２１を容易に離脱させることができる。
【００４９】
図１４は、本実施例に係る組み立て式のラック１の応用例を示すものであり、この場合には前記連結具２１を使用せずに、３段の棚板５１を備えるラック１Ａと、２段の棚板５１を備えるラック１Ｂとを組み立てた例を示している。
【００５０】
すなわち、前記ラック１Ａは、４本の支柱１１と、４個の支柱脚カバーと、６個の短サイズのブラケット３１と、６個の長サイズのブラケット３１と、３枚の棚板５１とを用いて上、中、下３段の棚板５１を備えるラック１Ａを組み立てたものである。
【００５１】
また、前記ラック１Ｂは、４本の支柱１１と、４個の支柱脚カバーと、４個の短サイズのブラケット３１と、４個の長サイズのブラケット３１と、２枚の棚板５１とを用いて上、下２段の棚板５１を備えるラック１Ａを組み立てたものである。
【００５２】
図１５は、本実施例に係る組み立て式のラック１の別の応用例を示すものであり、２台の組み立て式のラック１、１を所定の間隔で、かつ、短辺側が対向するように横列配置し、例えば、２台の組み立て式のラック１、１の手前側及び奥側で対向する２本ずつの連結支柱１１Ａ、１１Ａ間に２個のブラケット３１を各々両者が手前側及び奥側で水平配置、かつ、所定の高さ（例えば床面から８０ｃｍ等）となるように取り付け、これら２個のブラケット３１上に一枚の棚板５１を設置した態様としたものである。
【００５３】
このような別の応用例によれば、２台の組み立て式のラック１、１により大容量の物品収納機能を発揮させることができるとともに、前記一枚の棚板５１の上面側を例えば文字記載用のデスク面等として利用できる機能をも発揮させることができる。
【００５４】
以上説明した本実施例に係る組み立て式のラック１によれば、複数本の支柱１１を分割態様として他の構成要素とともに梱包が小さい状態で運搬することができる。
また、前記支柱１１、ブラケット３１、連結材３３等々を適宜選定して、使用者が好むサイズのラック１を自在に組み立て形成することができる。
【００５５】
また、全体として組み立てがネジ、ボルト、ナット等を要することなく組み立てが簡略容易である。
【００５６】
更に、前記連結具２１により２本の支柱１１を連結状態とした連結支柱１１Ａを作成するとき、前記連結具２１における前記折り返し挟み込み片２２の長さ方向中央部内にストッパー突部２３を備えることから、各連結支柱１１Ａを正確に均等な長さとし、各段付き受穴１３の位置を揃えることが容易となり、これにより、隣り合う連結支柱１１Ａの各段付き受穴１３に取り付けるブラケット３１の配置、更にはブラケット３１上に設置する棚板５１の配置を高精度なものとすることができ、全体として強固な物品支持構造を有する組み立て式のラック１を得ることができる。
【００５７】
本実施例に係る組み立て式のラック１は、前記ブラケット３１の係合端部３２には、前記連結支柱１１Ａ（又は支柱１１）の段付き受穴１３に嵌め込まれ、ハンマー６１による殴打力の作用により段付き受穴１３の狭幅部分に圧接するハの字状の突起部３５を具備することから、ネジ等を使用することなく前記ブラケット３１の係合端部３２を前記連結支柱１１Ａ（又は支柱１１）に強固に取り付けることができる。
【００５８】
本実施例に係る組み立て式のラック１によれば、ブラケット３１の連結材３３は、Ｌ型配置に設けた棚板受片３４を上側に向ける配置と、前記棚板受片３４を下側に向ける配置との上下反転設置可能であることから、前記ブラケット３１、前記棚板５１の前記連結支柱１１Ａ（又は支柱１１）に対する取り付け態様を２態様とした多様化が可能となる。
【００５９】
本実施例によれば、前記棚板５１は上面、下面の色を異ならせた仕様でリバーシブル使用可能であることから、前記棚板５１の外観態様を周囲環境に応じて２種類に異ならせた組み立て式のラック１を実現できる。
【００６０】
本実施例によれば、前記支柱１１には壁への固定用のネジ挿通孔１４が、ブラケット３１の棚板受片３４には棚板固定用のネジ挿通孔３６が各々設けられていることから、この組み立て式のラック１を壁へ固定したり、ブラケット３１と棚板５１とを固定したりすることができ、一層強固な物品支持機能を発揮する組み立て式のラック１を実現することができる。
【００６１】
次に、図１６乃至図１８を参照して前記支柱１１の変形例である支柱１１Ｂ、及び前記連結具２１の変形例である連結具２１Ａについ説明する。
【００６２】
変形例である前記連結具２１Ａは、前記連結具２１より簡略化した構成としたものであり、図１６、図１７に示すように、既述した連結具２１の場合と同様に、連結される各支柱１１Ｂ、１１Ｂの端部が両側から嵌着され近接連結状態で支持可能とするために、前記各長尺片１２、１２嵌着用の受領域を内部に形成する一対構造の折り返し挟み込み片２２、２２を前記支柱１１Ｂ、１１Ｂの各端部に外側から当接可能な形状であるＬ型状に一体形成するとともに、前記凹陥部２５を省略した構成としている。
【００６３】
また、前記一対構造の折り返し挟み込み片２２、２２の長さ方向中央部にその内部の受領域側に突出するストッパー突部２３を設け、前記各長尺片１２、１２の各端部の位置規制を行いつつ一対の支柱１１Ｂ、１１Ｂを連結具２１Ａを使用して連結し図１７下欄に示す連結支柱１１Ｃを構成するようにしている。
【００６４】
更に、前記一対構造の折り返し挟み込み片２２、２２における各ストッパー突部２３の両側には各々受領域側にわずかに突出し、前記各長尺片１２、１２の一面に当接して連結支持力を高める小突部２４を設けている。
【００６５】
変形例である前記支柱１１Ｂは、前記支柱１１の場合と同様に、一対の長尺片１２、１２をＬ型状に一体形成し、各長尺片１２、１２に各々ブラケット３１を強固に連結するための多数の段付き受穴１３Ａを対応配置に、かつ、長さ方向に等間隔に設け、更に前記長尺片１２の一部に壁への固定用のネジ挿通孔１４を設けることにより構成している。
【００６６】
変形例である前記支柱１１Ｂにおける段付き受穴１３Ａは、図１８に部分拡大して示すように、中央部に前記ブラケット３１の係合端部３２が挿入可能な広幅穴部３７を具備し、この広幅穴部３７の前記長尺片１２の長さ方向両側に前記広幅穴部３７より狭幅の狭幅部分を形成する例えば幅を２段階に異ならせた２段構成の段付き穴部３８を対称配置に備える構成とし、また、前記支柱１１Ｂの端部に支柱脚カバー４１を装着する構成している。
【００６７】
図１６、図１７に示す連結支柱１１Ｃ、連結具２１Ａを使用した場合においても、既述した実施例の場合と同様な組み立て工程の基に前記組み立て式のラック１を組み立てることができる。
【００６８】
また、前記段付き受穴１３Ａを具備する支柱１１Ｂを使用する場合においては、前記広幅穴部３７の両側に段付き穴部３８を設けていることから、前記支柱１１Ｂにより連結支柱１１Ｃを構成する場合、この支柱１１Ｂの長さ方向反転使用も可能となり、連結支柱１１Ｃ組み立て時の利便性が向上する。
【産業上の利用可能性】
【００６９】
本発明の組み立て式のラックは、オフィスや工場等で使用する場合の他、各種店舗、個人家屋等においても広範に利用可能である。
【符号の説明】
【００７０】
１    組み立て式のラック
１Ａ  ラック
１Ｂ  ラック
１１    支柱
１１Ａ  連結支柱
１１Ｂ  支柱
１１Ｃ  連結支柱
１２    長尺片
１３    段付き受穴
１３Ａ  段付き受穴
１４    ネジ挿通孔
２１    連結具
２１Ａ  連結具
２２    折り返し挟み込み片
２３    ストッパー突部
２４    小突部
２５    凹陥部
３１    ブラケット
３２    係合端部
３３    連結材
３４    棚板受片
３５    突起部
３６    ネジ挿通孔
３７    広幅穴部
３８    段付き穴部
４１    支柱脚カバー
５１    棚板
６１    ハンマー
６２ａ  殴打部
６２ｂ  殴打部
【図１】
2018183540.tif 000003
【図２】
2018183540.tif 000004
【図３】
2018183540.tif 000005
【図４】
2018183540.tif 000006
【図５】
2018183540.tif 000007
【図６】
2018183540.tif 000008
【図７】
2018183540.tif 000009
【図８】
2018183540.tif 000010
【図９】
2018183540.tif 000011
【図１０】
2018183540.tif 000012
【図１１】
2018183540.tif 000013
【図１２】
2018183540.tif 000014
【図１３】
2018183540.tif 000015
【図１４】
2018183540.tif 000016
【図１５】
2018183540.tif 000017
【図１６】
2018183540.tif 000018
【図１７】
2018183540.tif 000019
【図１８】
2018183540.tif 000020